(57)【要約】【課題】トイレ器具の表面の装飾を熟練を必要とせず簡単に行うことができるとともに、安価で、しかも、電気部品を内蔵したものに対しても適用することのできるトイレ器具の装飾方法および洋式便器を提供する。【解決手段】トイレ器具の表面に布地Ｃ２，Ｃ３を貼り付けて装飾するトイレ器具の装飾方法であって、水溶性エマルジョンの接着剤により、布地を剥離可能に貼り付ける。また、ポリプロピレン用プライマーの下塗りを施してその上に水溶性エマルジョンの接着剤を介して布地を貼り付ける。洋式便器は、便蓋２を開く方向に付勢する付勢手段を具備する。【選択図】        図１
2004248788.tif 000002
【特許請求の範囲】
【請求項１】
トイレ器具の表面に布地を貼り付けて装飾するトイレ器具の装飾方法であって、水溶性エマルジョンの接着剤により、トイレ器具の表面に前記布地を剥離可能に貼り付けたことを特徴とするトイレ器具の装飾方法。
【請求項２】
前記水溶性エマルジョンの接着剤による前記布地の貼り付け前、予め、前記トイレ器具の表面に、水溶性エマルジョンの接着剤に対して石こう配合高分子ポリマーの粉末を混合した下塗り材を塗布して下塗層を形成しておくようにしたことを特徴とする請求項１に記載のトイレ器具の装飾方法。
【請求項３】
前記トイレ器具として洋式便器の便座を装飾する際に、前記便座の縁部を覆うモールを前記便座の縁部に嵌め込んでこのモールにより前記布地を前記便座に固定するようにしたことを特徴とする請求項１又は請求項２に記載のトイレ器具の装飾方法。
【請求項４】
トイレ器具の表面に布地を貼り付けて装飾するトイレ器具の装飾方法であって、トイレ器具の表面に、ポリプロピレン用プライマーの下塗りを施して下地を形成した後、前記下地に水溶性エマルジョンの接着剤を介して前記布地を貼り付けるようにしたことを特徴とするトイレ器具の装飾方法。
【請求項５】
前記布地の貼り付け後、前記布地の表面の凹凸、毛羽立ちを除去すべく前記布地の表面に研磨を施すことを特徴とする請求項１乃至請求項４のうちいずれか一項に記載のトイレ器具の装飾方法。
【請求項６】
前記布地の貼り付け後、前記布地の表面に水溶性エマルジョンの接着剤を塗布して水溶性エマルジョンの接着剤のコート層を形成するようにしたことを特徴とする請求項１乃至請求項５のいずれか一項に記載のトイレ器具の装飾方法。
【請求項７】
前記コート層の上に、透明なウレタン又は透明なゴム塗料のいずれかによる塗装を施すようにしたことを特徴とする請求項６に記載のトイレ器具の装飾方法。
【請求項８】
請求項１乃至請求項７のいずれか一項に記載のトイレ器具の装飾方法により装飾される洋式便器であって、便蓋を開く方向に付勢する付勢手段を設けたことを特徴とする洋式便器。
【発明の詳細な説明】
【０００１】
【発明の属する技術分野】
本発明は、トイレ器具の表面に布地を貼り付けて装飾するトイレ器具の装飾方法およびこの装飾方法により装飾される洋式便器に関するものである。
【０００２】
【従来の技術】
近年、トイレ器具における便座等の表面に、色、柄、図形等の装飾を施すことにより、トイレ内の雰囲気を明るくしたり、格調の高い雰囲気にしたりすることが検討されている。例えば、合成樹脂からなる便座においては、透明性を有する基材の裏面に印刷インキからなる印刷層が形成されたシートを、表面を上にして便座等の上面に一体成形することにより装飾を施すものが知られており（特許文献１）、また、便座の他、本体ケース、洗浄ノズル等の局部洗浄用便座の露出構成部品に、フィルム状もしくはシート状の樹脂層を設けて装飾したものが知られている（特許文献２）。
【０００３】
【特許文献１】
特開２００２−０１７６１２号公報（［０００８］−［００１７］，図１−図３）
【特許文献２】
特開２００１−１２８８９１号公報（［００１９］−［００５３］，図１−図９）
【０００４】
【発明が解決しようとする課題】
しかし、従来の方法は、成形型や射出型が必要となり、簡単な設備では製造できないという欠点がある。
そこで、本出願人は、色、柄、図形を施したフィルムを熱により変形させ、変形したフィルムを接着剤により便座等に貼り付けるという方法や、水転写による方法を検討したが、前者の方法できれいな仕上りを得るためには相当の熟練が必要であるとともに、便座等の凹面に対してきれいに貼り付け難いという本質的な問題や、フィルムの作成費用が高額であるという問題があり、さらに、後者の方法は、水転写のため便座等を水槽に漬けることになるので、洗浄水を噴出させるためのモータや暖房用のヒータ線等の電気部品を内蔵したものには適用できないという問題がある。
【０００５】
そこで、本発明の課題は、トイレ器具の表面の装飾を熟練を必要とせず簡単に行うことができるとともに、安価で、しかも、電気部品を内蔵したものに対しても適用することのできるトイレ器具の装飾方法および洋式便器を提供することを目的とする。
【０００６】
【課題を解決するための手段】
請求項１記載のトイレ器具の装飾方法は、トイレ器具の表面に布地を貼り付けて装飾するトイレ器具の装飾方法であって、水溶性エマルジョンの接着剤により、トイレ器具の表面に前記布地を剥離可能に貼り付けたことを特徴とする。ここで、トイレ器具とは、トイレで使用される便器や各種用品を意味するものであり、便器本体、便座（便蓋含む）、給水タンク等の主要製品の他に、ぺーパーホルダ、タオル掛け、ブラシ、ブラシ入れ、飾り棚、トイレ用物入れ等の各種用品（トイレアクセサリー）を含む。
【０００７】
請求項１記載のトイレ器具の装飾方法によれば、従来のようなフィルムを用いることなく、布地を用いて貼り付けることにより、トイレ器具の表面を装飾することができる。
トイレ器具に布地（木綿、絹、麻等の天然繊維、ポリエステルやアクリル樹脂等の化学繊維又はこれらの混合繊維による織物布、又は不織布）を貼り付ける場合、一般には、例えば、ポリプロピレン製の便座等の表面に対しては、ポリプロピレンと相性の良いポリプロピレン系の接着剤が用いられる。しかし、このポリプロピレン系の接着剤を用いて布地を貼り付けようとすると、次のような問題が生じてくる。すなわち、ポリプロピレン系の接着剤は、ゴム系で透明ではあるものの、便座等の表面に塗布してこの上から布地を貼り付けると、布地の目から表側に染み出したときに、布地の表面の色柄、模様、図形等の装飾を部分的に隠してしまうことがあった。また、ポリプロピレン系の接着剤は、布地の目に留まって布地の印象を変えてしまうといった問題を有しているとともに、成分として有機溶剤（シンナー）が含まれているので、作業者に有機溶剤による中毒症状が出るおそれもあった。
【０００８】
これに対し、水溶性エマルジョンの接着剤は、固化すると透明になるので、布地の表面の色柄、模様、図形等の装飾が、前記ポリプロピレン系の接着剤等を用いたときのように、隠れてしまうといった問題は発生しない。
また、水溶性エマルジョンの接着剤には、有機溶剤が含まれていないので、有機溶剤による作業者の中毒を防止することができる。
さらに、水溶性エマルジョンの接着剤は、速乾性がないので、布地の貼付け調整を簡単に行うことができる。また、便座等の凹面に対しても、布地の伸縮性を生かして柔軟に装飾することができる。
【０００９】
また、水溶性エマルジョン（例えば、酢酸ビニールエマルジョン接着剤）は、ポリプロピレン用の接着剤として用いられていないが、乾燥により固化すると、布地を便座等の表面に沿った状態に成形するので、布地を強制的に剥がそうとする場合以外は、便座等から剥離することはない。
【００１０】
したがって、トイレ器具の表面の装飾を、熟練を必要とせず簡単に行うことができるとともに、従来のようなフィルムを使用することがないので、安価に行うことができるという利点が得られる。
また、従来の水転写によるときのような、便座等を水槽に漬ける作業を伴わないので、電気部品を内蔵したものに対しても適用することができる。
【００１１】
なお、請求項１に記載のトイレ器具の装飾方法において、便座の着座面に布地を貼り付ける場合や便器本体の外周面に全周に及んで布地を貼り付ける場合には、水溶性エマルジョンの固化によって、貼り付けられた布地がそれぞれ断面皿状、筒状に成形されることとなる。このような状態になると、布地は、その伸縮性により貼付け面に密着成形されて一体化されるので、さらに、剥がれ難くなる。したがって、水溶性エマルジョンの接着剤で便座等における平坦な表面を装飾する場合は、他の湾曲面も含むように、装飾面を決定すると、剥離し難い状態で便座等の表面に布地を固定することが可能となる。
【００１２】
しかも、布地は、水溶性エマルジョンによりトイレ器具に貼り付けられるので、模様替えを行う際などの張替えが簡単である。便座等から布地を外す場合は、便座等の表面と布地との間にへら状の部材を挿入して、便座等から布地を引き剥がすようにすることで、便座等から布地を簡単に剥離させることができる。便座等から布地を外した後は、別のデザインの布地を同様にして便座等の表面に貼り付けることにより、便座等のイメージを変えることができる。
なお、トイレ器具の主要部分や主だった部分、さらにはトイレアクセサリー等も同一の柄で装飾することにより、トイレ全体としての統一性をもたせることができるようになる。
【００１３】
請求項２に記載のトイレ器具の装飾方法は、請求項１記載のトイレ器具の装飾方法において、前記水溶性エマルジョンの接着剤による前記布地の貼り付け前、予め、前記トイレ器具の表面に、水溶性エマルジョンの接着剤に対して石こう配合高分子ポリマーの粉末を混合した下塗り材を塗布して下塗層を形成しておくようにしたことを特徴とする。
【００１４】
水溶性エマルジョンの接着剤に石こう配合高分子ポリマーを混合した下塗り剤を、例えば、前記便座等の表面に塗布して下塗層とし、これに水溶性エマルジョンの接着剤を介して布地を固定すると、便座等の表面に対する布地の剥離強さが改善されて剥がれ難くなる。剥離に対する強さが改善されて増すのは、下塗層に対して水溶性エマルジョンの接着剤の馴染みがよく、両者が接着によって一体化することにより、剥離に対する接着強さが向上することによるものと考えられる。また、剥離に対しては、下塗層の石こう配合高分子ポリマーがこれ自身の強度を超えたときに、剥がれやすくなるものと考えられる。
【００１５】
請求項３に記載のトイレ器具の装飾方法は、請求項１又は請求項２記載のトイレ器具の装飾方法において、前記トイレ器具として洋式便器の便座を装飾する際に、前記便座の縁部を覆うモールを前記便座の縁部に嵌め込んでこのモールにより前記布地を前記便座に固定するようにしたことを特徴とする。
【００１６】
便座の縁部にモールを嵌め込むと、モールにより、布地は、便座に固定される。布地は、その端部がモールで便座に押さえられることとなるので、経時的変化等によって、布地が便座から剥離する現象を効果的に防止することができる。
また、モールで布地の端部を隠すことができるので、仕上がりがきれいになり、見栄えも向上する。
さらに、便座の模様替えなどで、便座から布地を外す際は、モールを外し、便座の表面と布地との間にへら状の部材を挿入して、布地の端部から剥がしていくと、布地全体を便座から簡単に剥離させることができる。
なお、ここで言う便座には、便座を覆う便蓋が含まれる。
【００１７】
請求項４に記載のトイレ器具の装飾方法は、トイレ器具の表面に布地を貼り付けて装飾するトイレ器具の装飾方法であって、トイレ器具の表面に、ポリプロピレン用プライマーの下塗りを施して下地を形成した後、前記下地に水溶性エマルジョンの接着剤を介して前記布地を貼り付けるようにしたことを特徴とする。
【００１８】
このようにすると、トイレ器具の便座等の表面にポリプロピレン用プライマーの下地に水溶性エマルジョンの接着剤を介して布地が一体化される。
これにより、容易には剥離し難い状態で布地を便座等に貼り付けることができる。
【００１９】
請求項５に記載のトイレ器具の装飾方法は、請求項１乃至請求項４のいずれか一項に記載のトイレ器具の装飾方法において、前記布地の貼り付け後、布地表面の凹凸、毛羽立ちを除去すべく前記布地の表面に研磨を施すようにしたことを特徴とする。
【００２０】
このようにすると、布地の表面が平滑になるので、より見栄えが向上する。また、表面の凹凸がなくなるので、便座等の表面に貼り付けられている布地に対して下塗り塗装をし、その上に上塗り塗装をすることが可能となる。したがって、仕上げのきれいなトイレ器具が得られる。
【００２１】
請求項６に記載のトイレ器具の装飾方法は、請求項１乃至請求項５のいずれか一項に記載のトイレ器具の装飾方法において、前記布地の貼り付け後、前記布地の表面に水溶性エマルジョンの接着剤を塗布して水溶性エマルジョンの接着剤のコート層を形成するようにしたことを特徴とする。
【００２２】
便座等の表面に、布地を貼り付けて装飾をすると、布地の自然な風合をそのまま利用することができるが、表面に塗装を施して耐久性や外観を変えたい場合がある。このような場合、布地の表面に、水溶性エマルジョンの接着剤と同じ水溶性エマルジョンを塗布して乾燥させる。前記したように水溶性エマルジョンは乾くと透明になるので、このようにすると、布地のデザインをそのまま生かした状態で耐久性を向上させることができる。また、光沢による高級感を醸し出すこともできる。
【００２３】
請求項７に記載のトイレ器具の装飾方法は、請求項６に記載のトイレ器具の装飾方法において、前記コート層の上に、透明なウレタン又は透明なゴム塗料のいずれかによる塗装を施すようにしたことを特徴とする。
【００２４】
透明なウレタン又は透明なゴム塗料のいずれか一方を塗装すると、ウレタンは、透明なので、布地のデザインをそのまま生かした状態で耐久性を向上させることができる。また、透明なゴム塗料を塗装した場合も同様な効果が得られる。なお、ウレタンを塗装することにより耐水性が向上するので、一般的に、水濡れや水拭き掃除等により濡れることの多いトイレ器具には、ウレタン塗装が特に有用である。さらに、透明なウレタンを塗装することにより、便座等の表面の仕上がりが柔らかくなるという利点も得られる。また、油性ウレタンを使用することにより家具等に匹敵する硬度を便座等にもたせることもできるようになる。
【００２５】
請求項８に記載の洋式便器は、請求項１乃至請求項７のいずれか一項に記載のトイレ器具の装飾方法により装飾される洋式便器であって、便蓋を開く方向に付勢する付勢手段を設けたことを特徴とする。
【００２６】
このような洋式便器によれば、便蓋は付勢手段により開く方向に付勢されるので、便蓋を開くときに必要となる力が軽減されるようになる。
したがって、開閉操作が頻繁に行われる便蓋に装飾を施すことにより、便蓋の重量が装飾前の重量より重くなることがあるが、そのような場合でも、便蓋の開閉操作を無理なく行うことができる。特に、近年、便蓋の開閉をアシストするためのダンパー装置や便蓋の開閉を自動で行うためのモータ駆動装置を備えたものが人気を博しているが、そのような装置を備えた洋式便器に、このような付勢手段を設けることにより、装飾により重量の増した便蓋の開閉動作を補助することができるようになり、便蓋の開閉動作を装飾前の状態と同様に、スムーズに行うことができるようになる。なお、便蓋に対して適正な付勢力が付与されるように、付勢力を調整することができるように構成されていることが望ましい。
【００２７】
【発明の実施の形態】
以下、添付図面を参照して、本発明の実施の形態を詳細に説明する。なお、説明において、同一要素には同一の符号を用い、重複する説明は省略する。
（第一の実施形態）
図１は、本発明の第一の実施形態にかかるトイレ器具の装飾方法を説明するためのトイレ器具としての洋式便器を表した図であり、（ａ）は、便蓋を開いた状態の斜視図、（ｂ）は、便蓋を閉じた状態の斜視図である。図１（ａ）に示すように、洋式便器１は、便器本体１ａにＯ型の便座３が取り付けられ、使用時には、便座３に枢着された便蓋２を開いて後方へ略垂直に倒した状態とされるものである。便器本体１ａは、陶器製であり、また、便蓋２および便座３は、ポリプロピレン製である。
【００２８】
洋式便器１は、図１（ｂ）に示すように、便蓋２の上面２ａと側面２ｂに布地Ｃ２が貼り付けられて装飾され、また、図１（ａ）に示すように、便座３の上面（着座面）３ａに布地Ｃ３が貼り付けられて装飾される。使用される布地Ｃ２，Ｃ３としては、木綿、絹、麻等の天然繊維、ポリエステルやアクリル樹脂等の化学繊維又はこれらの混合繊維による織物布、又は不織布等がある。本実施形態では、所望の大きさに裁断された木綿製のものを用いている。
【００２９】
便蓋２に使用される布地Ｃ２は、例えば、図２（ａ）に示すように、便蓋２の上面２ａと側面２ｂとを覆う大きさの四角形状に裁断されている。また、便座３に使用される布地Ｃ３は、例えば、図３（ａ）に示すように、便座３の上面３ａを覆う大きさの輪郭四角形状に裁断されている。なお、本品をキット品として販売する場合には、国内メーカの標準の便器全てに貼り付けることができる程度の大きさを備えたものを用意する。
【００３０】
なお、布地Ｃ２，Ｃ３を節約するために、また、後述する布地Ｃ２，Ｃ３の貼付け作業時において、その手間を少なくするために、予め、被装飾物である便蓋２等の形状（輪郭）に合わせた大きさに布地Ｃ２，Ｃ３を裁断しておいても良い。また、メーカー毎の機種に合わせて布地Ｃ２，Ｃ３を裁断して用意しておくようにしても良い。
なお、布地Ｃ２，Ｃ３は、予め、市場調査などに基づいて多数作成しておいてユーザーに色又は色柄の見本を提示して色又は色柄を決定するようにしても良い。また、所望の色や色柄がない場合には、新たに作成しても良い。
【００３１】
布地Ｃ２，Ｃ３の貼り付けには、水溶性エマルジョンの接着剤が用いられる。本実施形態では、水溶性エマルジョンの接着剤として、汎用性の高い酢酸ビニールエマルジョンＥを用いている。
布地Ｃ２，Ｃ３による装飾方法としては、大きく分けて、将来、模様替えなどで、布地Ｃ２，Ｃ３を剥がすケースがあることを前提とした装飾方法Ａと、剥がすことを前提としない装飾方法Ｂとの２通りがある。初めに装飾方法Ａについて説明する。
【００３２】
装飾方法Ａ
装飾方法Ａは、前記のように、将来、模様替え等の張替え目的で布地Ｃ２，Ｃ３を剥がすケースがあることを前提とした装飾方法であり、ユーザーの好みに合わせて、好きなときに布地Ｃ２，Ｃ３を貼り替えることが可能である。したがって、布地Ｃ２，Ｃ３の色、柄、図形等のバリエーションを楽しむことが可能な装飾方法であるといえる。以下、装飾の手順を説明する。初めに、洋式便器１の便蓋２と便座３とを布地Ｃ２，Ｃ３でそれぞれ装飾する際の手順について説明する。
【００３３】
１．便蓋２の装飾
（１）便蓋２の上面２ａおよび側面２ｂを作業用布などできれいに拭き、はけやへら等の道具を用いて、酢酸ビニールエマルジョンＥを均一に塗り広げる。このとき、凹凸や塗りムラのないように滑らかに塗るようにする。
（２）酢酸ビニールエマルジョンＥを塗った上に、例えば、所望の柄の布地Ｃ２（図２（ａ）参照）を被せて、しわなどを伸ばしながら貼り付ける。酢酸ビニールエマルジョンＥは、速乾性ではないので、布地Ｃ２の貼付け調整が可能である。この場合、布地Ｃ２は、木綿製であるので伸縮性を有しており、便蓋２の曲線形状に合わせて柔軟に貼り付けることが可能である。また、便蓋２に布地Ｃ２を貼り付けると、酢酸ビニールエマルジョンＥが布地Ｃ２に浸み込む作用により、布地Ｃ２の伸縮性がより促進されることとなり、布地Ｃ２は、便蓋２の形状に一層沿った状態で貼り付けられるようになる。なお、布地Ｃ２を貼り付けたときに、便蓋２の縁部２ｃから酢酸ビニールエマルジョンＥがはみ出すことがあるが、酢酸ビニールエマルジョンＥは、水溶性であるので、この場合には、濡らした作業用布等を用いることにより、簡単に拭き取ることができる。
（３）便蓋２に貼り付けた布地Ｃ２の表面Ｃ２ａに、図４に示すように、酢酸ビニールエマルジョンＥを塗布し、コート層を形成する。このように、表面Ｃ２ａに酢酸ビニールエマルジョンＥを塗リ付けることにより、布地Ｃ２の表面Ｃ２ａの凹凸を埋めることができる。これにより、布地Ｃ２の表面Ｃ２ａは、平滑に近づくとともに、布地Ｃ２のデザインをそのまま生かした状態で、耐久性を向上させることができる。なお、布地Ｃ２に用いられている糸が太い（分厚い）場合は、この工程を繰り返して行い、布地Ｃ２の表面Ｃ２ａの凹凸を酢酸ビニールエマルジョンＥで埋めるようにする。
（４）貼り付けられた布地Ｃ２を乾燥させる。布地Ｃ２の乾燥は、自然乾燥により行っても良いが、好ましくは、乾燥室などの設備を用いることにより短時間で行うことができる。
乾燥終了後、便蓋２よりはみ出した余分な布地Ｃ２ｂ（図４参照）を便蓋２の縁部２ｃに沿ってハサミやカッターで切り取る。これにより、全体の見栄えを整える。
（５）布地Ｃ２の表面Ｃ２ａの凹凸、毛羽立ちを除去すべく、布地Ｃ２の表面Ｃ２ａを仕上げ用ペーパーヤスリにて平滑になるまで研磨する。これにより、布地Ｃ２の表面Ｃ２ａが平滑になるので、見栄えがよくなる。また、次の仕上げ塗装の下準備ともなる。
（６）透明な水性ウレタンＵ（図１（ａ）参照）を用いて仕上げ塗装を行う。これにより、耐水性等が向上し、その後の手入れ（拭き掃除）も行いやすくなる。なお、水性ウレタンの代わりに水性ゴム塗料、例えば、アクリル系合成ゴムを用いても良い。
（７）図５に示すように、布地Ｃ２の端部Ｃ２ｃ表面に、ポリプロピレン用接着剤Ｐ１を塗布し、断面Ｕ字形のビニール製モールＭを便蓋２の縁部２ｃに嵌め込むようにして装着する。これにより、布地Ｃ２の端部Ｃ２ｃにモールＭが接着固定されるとともに、便蓋２の縁部２ｃがモールＭで装飾される。
【００３４】
以上のようにして、便蓋２に布地Ｃ２が貼り付けられる。なお、便蓋２に布地Ｃ２を貼り付ける際（上記（２））の作業の簡便化を図るために、図２（ｂ）に示すように、予め、便蓋２の上面２ａの中央に、仮止め用の両面粘着テープＴを貼り付けておき、布地Ｃ２の貼付け位置をこの両面粘着テープＴによって決定してから、酢酸ビニールエマルジョンＥを便蓋２の上面２ａおよび側面２ｂに塗布して、布地Ｃ２を貼り付けるようにしても良い。なお、簡単に剥がせるようにするために、両面粘着テープＴは、粘着力の弱いものを用いる。
【００３５】
２．便座３の装飾
（イ）前記手順（１）と同様に、便座３の上面（着座面）３ａをきれいに拭き、布地Ｃ３を貼り付ける下準備をする。
（ロ）酢酸ビニールエマルジョンＥを便座３の上面３ａに均一に塗布し、この酢酸ビニールエマルジョンＥを塗った上に、布地Ｃ３を被せて貼り付ける。布地Ｃ３は、図３（ａ）に示すように、Ｏ型の便座３の形状に合わせて、中央部分を丸く切り取っておくと、貼り付けが行いやすい。
布地Ｃ３の貼付け方としては、まず、便座３の内周縁３ｂに沿って布地Ｃ３を貼り付け、布地Ｃ３の位置決めを行いつつ、布地Ｃ３を便座３の外周縁３ｃに向けて放射状に均すようにする。このような貼付け方を行うことにより、布地Ｃ３の伸縮性をうまく利用することができるようになり、布地Ｃ３は、便座３にきれいに貼り付けられることとなる。
（ハ）前記手順（３）〜（６）を行い、酢酸ビニールエマルジョンＥの塗布、布Ｃ３の乾燥、仕上げ塗装を行う。なお、便座３は、前記便蓋２に比べて、使用時に水濡れするケースが多くなると思われるため、水性ウレタンＵや水性ゴム塗料を用いた仕上げ塗装を行う有効性が高い。なお、前記モールＭを用いた装飾を便座３に対して行っても良い。また、便座３に布地Ｃ３を貼り付ける際の作業の簡便化を図るために、図３（ｂ）に示すように、予め、便座３の上面３ａに仮止め用の両面粘着テープＴ１，Ｔ１を貼り付けておいてから、布地Ｃ３の貼付け位置を決定するようにしても良い。
なお、便座３が図示しないＵ型形状のものである場合にも、上記手順と同様にして布地Ｃ３を貼り付けることができる。その場合、Ｕ型の便座３の形状に合わせて、中央部分に切込みを入れておくと、貼り付けが行いやすくなる。
【００３６】
以上のようにして便蓋２および便座３に布地Ｃ２，Ｃ３が貼り付けられて装飾される。布地Ｃ２，Ｃ３は、固化すると透明になる酢酸ビニールエマルジョンＥにより貼り付けられるので、布地Ｃ２，Ｃ３の表面の色柄、模様、図形等の装飾が、ポリプロピレン系の接着剤等を用いたときのように、隠れてしまうといった問題が発生しない。また、酢酸ビニールエマルジョンＥには、有機溶剤が含まれていないので、有機溶剤による作業者の中毒を防止することができる。
また、酢酸ビニールエマルジョンＥは、ポリプロピレン用の接着剤として一般的に用いられていないが、乾燥により固化すると、布地Ｃ２，Ｃ３を便蓋２，便座３の表面形状にそれぞれ沿った状態に成形するので、布地Ｃ２，Ｃ３を強制的に剥がそうとする場合以外は、便蓋２，便座３から剥離することはない。
【００３７】
すなわち、ポリプロピレン用の接着剤として一般的に用いられることのない酢酸ビニールエマルジョンＥを用いることにより、ポリプロピレン製の便蓋２，便座３に布地Ｃ２，Ｃ３を接着することが実現できるようになる。
なお、布地Ｃ２，Ｃ３は、便蓋２，便座３にそれぞれ貼り付けられると、断面略皿状に成形されることとなる。これにより、布地Ｃ２，Ｃ３はその伸縮性により各貼付け面に密着成形されて一体化されるので、さらに剥がれ難くなる。したがって、このように湾曲面も含むように装飾することで、剥離し難い状態で布地Ｃ２，Ｃ３を固定することが可能となる。また、仕上げ塗装に水性ウレタンＵを用いいることにより、便蓋２，便座３の表面の仕上がりが柔らかくなるという利点が得られる。
さらに、油性ウレタンを使用した場合には、家具に匹敵する硬度を便蓋２，便座３にもたせることができるようになる。
【００３８】
このようにして貼り付けられた布地Ｃ２，Ｃ３は、へら状の道具、例えば、図４に示したような、塗布用のへらＨを用いて引き剥がすことにより、便蓋２や便座３から容易に剥離させることができる。便蓋２や便座３から布地Ｃ２，Ｃ３を引き剥がした後は、別のデザインの布地を前記手順で貼り付けることにより、便蓋２や便座３の模様替えを行うことができる。
上記装飾方法Ａによれば、布地Ｃ２，Ｃ３は、剥離性を備えた状態で、便蓋２や便座３に貼り付けられることとなるが、次に説明するように、剥離性を備えつつ、剥離に抗する接着強さが増すように、貼り付けることも可能である。
その手順は、便蓋２に布地Ｃ２を貼り付ける作業を例にとって説明すると、前記酢酸ビニールエマルジョンＥによる布地Ｃ２の貼り付け前、すなわち、前記（１）で説明した手順において、便蓋２の上面２ａおよび側面２ｂを作業用布などできれいに拭いた後に、酢酸ビニールエマルジョンＥに対して石こう配合高分子ポリマーの粉末を混合した下塗り材を塗布し、下塗層を形成するものである。
【００３９】
このような下塗り剤による下塗層に、酢酸ビニールエマルジョンＥを介して布地Ｃ２を固定すると、便座２に対する布地Ｃ２の剥離強さが改善されて剥がれ難くなる。剥離に対する強さが改善されて増すのは、下塗層に対して酢酸ビニールエマルジョンＥの馴染みがよく、両者が接着によって一体化することにより、剥離に対する接着強さが向上することによるものと考えられる。また、剥離に対しては、下塗層の石こう配合高分子ポリマーがこれ自身の強度を超えたときに、剥がれやすくなるものと考えられる。
【００４０】
さらに、仕上げ塗装に使用する水性ウレタンＵや水性ゴム塗料等に、予め、酸化チタンの粉体を混入しておき、特定波長の紫外線に反応する酸化チタンによって臭気が分解されるようにしても良い。この場合に、酸化チタンの粉末は、白色なので、布地の白地部分に対してのみ使用されるようにする。
【００４１】
図６は、洋式便器１の便蓋２の下面２ｄと便器本体１ａに対しても布地Ｃ２ｄ，Ｃ１ａ，Ｃ１ｂを貼り付けた場合を例示しており、洋式便器１の全体を統一性のある模様で装飾したものである。
【００４２】
便蓋２の下面２ｄに布地Ｃ２ｄを貼り付ける手順は、前記便蓋２の上面２ａおよび側面２ｂ（図１（ｂ）参照）に対する布地Ｃ２の貼付け手順（１）〜（６）と同様である。なお、前記便蓋２の上面２ａおよび側面２ｂは、凸面で構成されるのに対し、便蓋２の下面２ｄは、これとは逆に、凹面で構成されるので、便蓋２の下面２ｄおよび側面２ｂの裏面に布地Ｃ２ｄを貼り付ける際には、布地Ｃ２ｄの伸縮性を利用するだけでは吸収することのできないしわが、下面２ｄと側面２ｂとの角部周辺で形成される場合がある。この場合には、しわの部分にカッターやハサミで切り込みを入れ、あるいは余分な部分を削除して、その削除した部分同士が重なるようにすることで、見かけ状、しわをなくすことができる。なお、前記削除した部分同士が重なったところは、乾燥後に、布地Ｃ２ｄ同士が密着して目立たない状態となり、美観に影響を及ぼすことはない。
【００４３】
便器本体１ａは、前記便蓋２および便座３とは異なり、材質が陶器製であるが、前記手順（１）〜（６）と同様の手順により、布地Ｃ１ａ，Ｃ１ｂを貼り付けることができる。すなわち、便器本体１ａの表面１ａ１を作業用布できれいに拭いて、酢酸ビニールエマルジョンＥを均一に塗布し、左右両側方から布地Ｃ１ａ，Ｃ１ｂを貼り付け、さらに、その上から酢酸ビニールエマルジョンＥを塗布した後に布Ｃ１ａ，Ｃ１ｂを乾燥させて余分な部分を削除した後、水性ウレタンＵ等で仕上げ塗装を行う。
【００４４】
便器本体１ａの表面１ａ１は、凹部と凸部とが入り組んだものとなっているので、布地Ｃ１ａ，Ｃ１ｂを貼り付ける際には、布地Ｃ１ａ，Ｃ１ｂが有している前記伸縮性をうまく利用する。これにより、比較的容易に貼付け作業を行うことができる。なお、本実施形態では、便器本体１ａの装飾を、左右それぞれ１枚づつの布地Ｃ１ａ，Ｃ１ｂを貼り合わせることにより行うようにしたが、これに限らず、図示しない複数枚の布地を用いるようにしても良い。この場合には、布地を貼り合わせる際の自由度が高まるので、作業がより行いやすくなるという利点が得られる。
【００４５】
このようにして便器本体１ａに貼り付けられた布地Ｃ１ａ，Ｃ１ｂは、固化すると透明になる酢酸ビニールエマルジョンＥにより貼り付けられるので、布地Ｃ１ａ，Ｃ１ｂの表面の色柄、模様、図形等の装飾が、隠れてしまうといった問題が発生しない。
また、酢酸ビニールエマルジョンＥは、陶器用の接着剤として用いられていないが、乾燥により固化すると、布地Ｃ１ａ，Ｃ１ｂを便器本体１ａの表面形状に沿った状態に成形するので、布地Ｃ１ａ，Ｃ１ｂを強制的に剥がそうとする場合以外は、便器本体１ａから剥離することはない。
さらに、便器本体１ａの外周面に全周に及んで布地Ｃ１ａ，Ｃ１ｂが貼り付けられると、酢酸ビニールエマルジョンＥの固化によって、貼り付けられた布地Ｃ１ａ，Ｃ１ｂは筒状に成形されることとなる。このような状態になると、布地Ｃ１ａ，Ｃ１ｂは、その伸縮性により便器本体１ａの表面１ａ１に密着成形されて一体化されるので、さらに、剥がれ難くなる。
【００４６】
装飾方法Ｂ
装飾方法Ｂは、前記のように、将来、剥がすことを前提としない装飾方法であり、前記装飾方法Ａよりも剥離し難い状態が得られるものである。装飾方法Ｂが前記装飾方法Ａと異なるところは、便蓋２の上面２ａおよび側面２ｂを装飾する場合を例に説明すると、便蓋２の上面２ａおよび側面２ｂに酢酸ビニールエマルジョンＥを塗布する前に、以下の下地処理を行う点である。
（ニ）便蓋２の側面２ｂの縁部近傍２ｂ１を、図７に示すように、図示しないサンドペーパーで研磨する。
（ホ）研磨した部分に、ポリプロピレン用プライマーＰ２を塗布する。
（ヘ）前記手順（ホ）で塗布したポリプロピレン用プライマーＰ２を乾燥させる。
（ト）石こう配合高分子ポリマーの粉末を水に溶かし、その液体Ｆをポリプロピレン用プライマーＰ２の上に塗布し、乾燥させる。
という下地処理を行う。そして、その上に、酢酸ビニールエマルジョンＥを塗布するとともに、便蓋２の上面２ａおよび側面２ｂにも酢酸ビニールエマルジョンＥを塗布して、布地Ｃ２を貼り付ける。その後、前記手順（４）〜（６）に基づいて、乾燥、研磨、仕上げ塗装を行う。
【００４７】
上記手順（ニ）の研磨で使用するサンドペーパーの粗度としては、＃８０〜＃１００のものが適当である。また、本実施形態で使用したポリプロピレン用プライマーは、会社名：長嶋特殊塗料株式会社、製品名：ポリプロピレン用プライマーＳ−５４である。
このような下地処理を行うことによって、ポリプロピレン用プライマーの下地に、石こう配合高分子ポリマーの粉末（液体Ｆ）と酢酸ビニールエマルジョンＥとを介して布地Ｃ２が一体化される。
なお、作業の簡略化を図るために、石こう配合高分子ポリマーの粉末は、予め、酢酸ビニールエマルジョンＥに混ぜておいて、ポリプロピレン用プライマーＰ２を塗布して乾燥させた上に、これを塗布するようにしても良い。また、石こう配合高分子ポリマーは必ずしも用いなくても良く、ポリプロピレン用プライマーを塗布して乾燥させた上に、酢酸ビニールエマルジョンＥを直に塗布して、その上に布地Ｃ２を貼り付けるようにしても良い。
このように、石こう配合高分子ポリマーを使用しない場合でも、剥離に対する所望の強さが得られることとなる。また、剥離強さをより一層高めたいときには、前記のように石こう配合高分子ポリマーを用いる。
なお、石こう配合高分子ポリマーの粉末を塗布する手順を省いた方法においては、その分、コストダウンが達成されることとなる。
また、上記装飾方法Ｂは、陶器製の便器本体１ａに対しても同様に適用することができる。
【００４８】
さらに、本実施形態では、色柄のみを施す説明をしたが、各部分に、異なる色の中から、ユーザーが選択した色をそれぞれ施すようにしても良い。また、便蓋２の上面２ａおよび側面２ｂ、便座３の上面３ａを装飾する説明をしたが、ユーザーの好みに応じて、便座３の下面に装飾を施して色柄を形成しても良い。さらに、図示しない給水タンク等を布地で装飾するようにしても良い。
【００４９】
また、例えば、図８に示すように、前記布地Ｃ２，Ｃ３等と同色、同模様の布地Ｃ４を用いて、ぺーパーホルダ１０、タオル掛け１１、ブラシ入れ１２の外表面を装飾するようにしても良い。この場合、ぺーパーホルダ１０、タオル掛け１１、ブラシ入れ１２の各ベース１３に、図９、図１０、図１１に示すように、その表面に貼り付ける両面テープＴ２で仮止めしながら、酢酸ビニールエマルジョンＥにより、布地Ｃ４を貼り付ける。
【００５０】
図８、図９を参照すると、前記ペーパーホルダ１０の保持具１５は、トイレットペーパーＰの芯を回転自在に支持するためのカラーを取り付けた直線部１５ａと、この直線部１５ａの両端部に設けられ前記ベース１０の両側の嵌合孔１６ａ，１６ａに嵌合する支持腕１５ｂ，１５ｂとからなっており、支持腕１５ｂ，１５ｂに外向きの力を加えて直線部１５ａを可撓させた状態で、嵌合孔１６ａ，１６ａに各支持腕１５ｂ，１５ｂを嵌合させる構造となっている。
【００５１】
図８、図１０を参照すると、タオル掛け１１の保持具１５は、前記したペーパーホルダ１０の保持具１５と共通であり、保持具１５の直線部１５ａに直接又はカラー（図示せず）を取り付けて、直線部１５ａに直接又はカラー（図示せず）にタオルＴｏを掛けるように構成している。
【００５２】
図８、図１１を参照すると、前記ブラシ入れ１２のブラシの保持具１８は、上方に開口する有底筒体状のブラシ収容部１８ａと、このブラシ収容部１８ａの上部外周鍔部をベース１３に保持する保持部１８ｂと、この保持部１８ｂをベース１３の一対の嵌合孔１６ａ，１６ａに支持するための支持腕１８ｃ，１８ｃとから構成される。
【００５３】
このように、各ベース１３が布地Ｃ４により装飾され色柄が統一されるので、統一された美観により、暖かさ、華やかさ、簡素さ、重厚さ、清潔さ、爽やかさ等が表現される。また、布地Ｃ４に図示しない酸化チタンを担持させることにより、トイレ内の臭気を触媒反応によって消臭することができる。これにより、異臭による不快感を一掃することが可能となる。
【００５４】
（第二の実施形態）
図１２は本発明の第二の実施形態にかかるトイレ器具の装飾方法により装飾される洋式便器の便蓋を示した斜視図である。本実施形態では、便蓋２を開く方向に付勢する付勢手段としての錘装置２０が便蓋２に設けられている。
便蓋２は、基端部の両端においてヒンジ部２ｅ，２ｅにより、図示しない便座に開閉回動可能に枢着されている。錘装置２０は、図１３にも示すように、アーム部２１と、このアーム部２１の一端部側２１ａの溝部２１ａ１にスライド可能に取り付けられた錘部２２とを備えている。
【００５５】
アーム部２１は、他端部側２１ｂに設けられた２本の取付部２３ａ，２３ｂにより、便蓋２の一方のヒンジ部２ｅの側方にボルト２４ａ，２４ｂにより取り付けられる。２本の取付部２３ａ，２３ｂのうち、錘２２に近い側の取付部２３ｂは、ヒンジ部２ｅ，２ｅを通る軸線の延長線上に重なるように取り付けられている。錘部２２は、錘２２ａと、固定部２２ｂとを備えている。錘部２２は、図１３に示すように、固定部２２ｂに設けられたねじ２２ｂ１をアーム部２１の一端部側２１ａの溝部２１ａ１に挿通して、錘２２ａに設けられたねじ穴２２ａ１に螺合させることにより、アーム部２１の溝部２１ａ１の所望の位置に取り付けられるようになっている。したがって、錘部２２は、前記螺合を緩めることにより、溝部２１ａ１の範囲内で取付位置を調整することが可能である。
【００５６】
このような錘装置２０を備えた洋式便器によれば、便蓋２を開けたとき、錘装置２０の錘２２ａによる下方向への重力が作用するため、便蓋２は開く方向に付勢されることとなり、これによって、便蓋２を開くときに必要となる力が軽減されるようになる。
したがって、開閉操作が頻繁に行われる便蓋２において、装飾を施すことにより、便蓋２の重量が装飾前の重量より重くなることがあっても、便蓋２の開閉操作を無理なく行うことができる。
例えば、近年、便蓋２の開閉をアシストするためのダンパー装置や便蓋２の開閉を自動で行うためのモータ駆動装置を備えたものが人気を博しているが、そのような装置を備えたものに対して、このような錘装置２０を設けることにより、装飾により重量の増した便蓋２の開閉動作を補助することができるようになり、便蓋２の開閉動作を装飾前の状態と同様に、スムーズに行うことができるようになる。
なお、錘２２ａは、便蓋２の大きさや構造に合わせて、重さの異なるものを複数種類用意し、状況に合わせて適正な付勢力が便蓋２に付与されるようにしても良い。また、この錘装置２０による付勢力は、便蓋２を回動させるには至らない程度の力である。
さらに、錘装置２０は、前記構成のものに限らず、例えば、図示しないバネやスプリングの弾性による付勢力によって、便蓋２が開く方向に付勢されるように構成しても良い。
【００５７】
【発明の効果】
以上のように、本発明にかかるトイレ器具の装飾方法は、トイレ器具の表面の装飾を熟練を必要とせず簡単に行うことができるとともに、安価で、しかも、電気部品を内蔵したものに対しても適用することができる。
また、本発明にかかる洋式便器は、便蓋に装飾を施すことにより、便蓋の重量が装飾前の重量より重くなったとしても、便蓋の開閉操作を無理なく行うことができる。
【図面の簡単な説明】
【図１】本発明の第１の実施形態にかかるトイレ器具の装飾方法を説明するためのトイレ器具としての洋式便器を表した図であり、（ａ）は、便蓋を開いた状態の斜視図、（ｂ）は、便蓋を閉じた状態の斜視図である。
【図２】（ａ）（ｂ）は便蓋への布地の貼付け手順を説明するための平面図である。
【図３】（ａ）（ｂ）は便座への布地の貼付け手順を説明するための平面図である。
【図４】便蓋への布地の貼付け手順を説明するための斜視図である。
【図５】便蓋の縁部の拡大断面図である。
【図６】洋式便器全体に布地を装飾した状態を示す斜視図である。
【図７】便蓋への布地の貼付け手順を説明するための斜視図である。
【図８】トイレ内の装飾状態を示す斜視図である。
【図９】ぺーパーホルダを示す拡大斜視図である。
【図１０】タオル掛けを示す拡大斜視図である。
【図１１】ブラシ入れを示す拡大斜視図である。
【図１２】本発明の第二の実施形態にかかるトイレ器具の装飾方法により装飾される洋式便器の便蓋を示した斜視図である。
【図１３】錘装置を示す拡大平面図である。
【符号の説明】
１    洋式便器
１ａ  便器本体
２    便蓋
２ａ  上面
２ｂ  側面
２ｃ  縁部
３    便座
３ａ  上面
２０  錘装置（付勢手段）
Ｃ１ａ，Ｃ１ｂ，Ｃ２，Ｃ３，Ｃ４  布地
Ｅ    酢酸ビニールエマルジョン
Ｍ    モール
Ｐ１  ポリプロピレン用接着剤
Ｐ２  ポリプロピレン用プライマー
Ｕ    ウレタン
【図１】
2004248788.tif 000003
【図２】
2004248788.tif 000004
【図３】
2004248788.tif 000005
【図４】
2004248788.tif 000006
【図５】
2004248788.tif 000007
【図６】
2004248788.tif 000008
【図７】
2004248788.tif 000009
【図８】
2004248788.tif 000010
【図９】
2004248788.tif 000011
【図１０】
2004248788.tif 000012
【図１１】
2004248788.tif 000013
【図１２】
2004248788.tif 000014
【図１３】
2004248788.tif 000015